(57)【要約】【課題】複数の現像装置を備えた画像形成装置において、現像装置を、それぞれの現像装置の開始/終了タイミングに合わせて駆動することにより現像装置の劣化を最小限に抑える。【解決手段】複数の現像装置２は、それぞれ現像装置２を駆動させる動力を伝達する動力伝達手段４と、駆動源５とを備え、動力伝達手段４は、動力を伝達する動力伝達姿勢と、動力を現像装置２から分離する動力分離姿勢との間で姿勢変更可能なクラッチ６を有し、搬送される用紙２３が現像装置２に到達するそれぞれ異なる時間に、それぞれのクラッチ６が動力分離姿勢から動力伝達姿勢へと姿勢変更されてそれぞれの現像装置２の画像が用紙２３に転写形成される。【選択図】図４
2007187786.tif 000002
【特許請求の範囲】
【請求項１】
複数の現像装置を備えたタンデム現像式の画像形成装置であって、
上記複数の現像装置は、それぞれ現像装置を駆動させる動力を伝達する動力伝達手段を備え、
上記現像装置のそれぞれの動力伝達手段は、駆動源から現像装置に動力を伝達する動力伝達姿勢と、駆動源の動力を現像装置から分離する動力分離姿勢との間で姿勢変更可能なクラッチを有し、
搬送される用紙が現像装置に到達する時間に対応してそれぞれ異なる時間に上記それぞれの動力伝達手段のクラッチが動力分離姿勢から動力伝達姿勢へと姿勢変更されることにより、それぞれの現像装置により現像された画像が用紙に転写形成されるものであることを特徴とする画像形成装置。
【請求項２】
上記動力伝達手段のそれぞれのクラッチに対応して回転角度の位相が異なるように設けられた複数の偏心カムと、
これら複数の偏心カムを回転させるカム駆動モータと、
上記複数の偏心カムのそれぞれに対応して設けられ、これら偏心カムの頂部に押されて変位する複数のクラッチ操作レバーとを備え、
上記クラッチ操作レバーは、用紙が現像装置に到達するそれぞれ異なる時間に、上記偏心カムの頂部に押されて変位して、それぞれのクラッチを動力分離姿勢から動力伝達姿勢へと姿勢変更するものであることを特徴とする請求項１に記載の画像形成装置。
【請求項３】
上記動力伝達手段のクラッチは、それぞれ、駆動源の駆動軸の周りに揺動可能なクラッチ操作部材と、
このクラッチ操作部材に回転軸が設けられ、駆動源の駆動軸に設けられた駆動ギアにより回転駆動されるアイドルギアと、
現像装置に動力を伝達する出力ギアと、
を備え、
上記それぞれのクラッチ操作部材は、上記偏心カムの頂部に押されて変位する複数の上記クラッチ操作レバーと当接可能な操作端を有し、
これらの操作端を介してクラッチ操作部材がクラッチ操作レバーに押されて揺動することにより、上記アイドルギアが、上記出力ギアに結合して駆動ギアから出力ギアに動力を伝達可能な結合姿勢と、出力ギアから退避して駆動ギアからの動力と出力ギアとを分離する退避姿勢との間で、姿勢変更可能に設けられていることを特徴とする請求項１または請求項２のいずれかに記載の画像形成装置。
【発明の詳細な説明】
【技術分野】
【０００１】
本発明は、複数の現像装置を備えたタンデム現像式の画像形成装置に関するものである。
【背景技術】
【０００２】
複数の現像装置を備えたタンデム現像式の画像形成装置として、それぞれの現像装置に対して現像装置を駆動させる駆動源と動力を伝達する動力伝達手段とを備えたものが一般に知られている。
【０００３】
例えば、特許文献１には、現像器の駆動が停止されるとともにこの現像器が感光体から離れた姿勢と、現像器が駆動されるとともにこの現像器が感光体に接した姿勢との間で、カラーの現像器の姿勢が変更されるように構成されたカラー画像形成装置の技術が開示されている。
【特許文献１】特開２００３−１２２０８９号公報
【発明の開示】
【発明が解決しようとする課題】
【０００４】
しかしながら、上述の特許文献１に開示されたカラー画像形成装置の技術では、複数の現像装置の駆動伝達/解離動作が同一タイミングで行なわれてしまうという問題があった
。すなわち、タンデム間隔ごとに配置した複数の現像装置は、タンデム間隔と印字速度で決まるタンデム時間間隔分だけ、現像の開始/終了タイミングが異なるため、同時に現像
装置の駆動を切り替えると、本来現像に必要な時間以上に余分に駆動されてしまうという不具合があった。
【０００５】
そして、このように、現像装置が本来現像に必要な時間以上に余分に駆動されると、現像剤は現像装置の攪拌によって機械的ストレスを受けたり、攪拌時の摩擦による熱により加熱されるので現像装置の劣化が早くなるという問題を引き起こしていた。
【０００６】
本発明は上記不具合に鑑みてなされたものであり、それぞれの現像装置を、それぞれの現像装置の開始/終了タイミングに合わせて駆動することにより現像装置の劣化を最小限
に抑えることが可能な画像形成装置を提供することを課題としている。
【課題を解決するための手段】
【０００７】
上記課題を解決するための本発明は、複数の現像装置を備えたタンデム現像式の画像形成装置であって、上記複数の現像装置は、それぞれ現像装置を駆動させる動力を伝達する動力伝達手段を備え、上記現像装置のそれぞれの動力伝達手段は、駆動源から現像装置に動力を伝達する動力伝達姿勢と、駆動源の動力を現像装置から分離する動力分離姿勢との間で姿勢変更可能なクラッチを有し、搬送される用紙が現像装置に到達する時間に対応してそれぞれ異なる時間に上記それぞれの動力伝達手段のクラッチが動力分離姿勢から動力伝達姿勢へと姿勢変更されることにより、それぞれの現像装置により現像された画像が用紙に転写形成されるものであることを特徴とする画像形成装置である。
【０００８】
本発明によれば、現像装置のそれぞれの動力伝達手段のクラッチが、駆動源から現像装置に動力を伝達する動力伝達姿勢と、駆動源の動力を現像装置から分離する動力分離姿勢との間で姿勢変更することができる。そして、搬送される用紙が現像装置に到達する時間に対応してそれぞれ異なる時間に上記それぞれの動力伝達手段のクラッチが動力分離姿勢から動力伝達姿勢へと姿勢変更されることにより、それぞれの現像装置により現像された
画像が用紙に転写形成されるので、必要な時だけに現像装置を駆動させる一方、不要な時は現像装置の回転を継続させなくともよい結果、現像装置の劣化を防止することができるようになる。
【０００９】
また、駆動源そのものは起動や停止をせずに回転を継続するので、伝達される動力が一様で安定したものになる結果、現像装置の駆動も安定したものになる。
【００１０】
ここで、この画像形成装置は、上記動力伝達手段のそれぞれのクラッチに対応して回転角度の位相が異なるように設けられた複数の偏心カムと、これら複数の偏心カムを回転させるカム駆動モータと、上記複数の偏心カムのそれぞれに対応して設けられ、これら偏心カムの頂部に押されて変位する複数のクラッチ操作レバーとを備え、上記クラッチ操作レバーは、用紙が現像装置に到達するそれぞれ異なる時間に、上記偏心カムの頂部に押されて変位して、それぞれのクラッチを動力分離姿勢から動力伝達姿勢へと姿勢変更するものであることが好ましい。
【００１１】
このようにすれば、用紙が現像装置に到達するそれぞれ異なる時間に、クラッチに対応して回転角度の位相が異なる偏心カムの頂部に押されてクラッチ操作レバーが変位することにより、それぞれのクラッチを動力分離姿勢から動力伝達姿勢へと姿勢変更するので、簡単な構成でそれぞれのクラッチを動力分離姿勢から動力伝達姿勢へと姿勢変更することができる画像形成装置を実現することができるようになる。
【００１２】
また、上記動力伝達手段のクラッチは、それぞれ、駆動源の駆動軸の周りに揺動可能なクラッチ操作部材と、このクラッチ操作部材に回転軸が設けられ、駆動源の駆動軸に設けられた駆動ギアにより回転駆動されるアイドルギアと、現像装置に動力を伝達する出力ギアと、を備え、上記それぞれのクラッチ操作部材は、上記偏心カムの頂部に押されて変位する上記クラッチ操作レバーと当接可能な操作端を有し、これらの操作端を介してクラッチ操作部材が複数のクラッチ操作レバーに押されて揺動することにより、上記アイドルギアが、上記出力ギアに結合して駆動ギアから出力ギアに動力を伝達可能な結合姿勢と、出力ギアから退避して駆動ギアからの動力と出力ギアとを分離する退避姿勢との間で、姿勢変更可能に設けられていることが好ましい。
【００１３】
このようにすれば、クラッチ操作レバーが操作端を介してクラッチ操作部材を押して揺動させることにより、駆動ギアから出力ギアに動力を伝達することができる結合姿勢と駆動ギアからの動力と出力ギアとを分離する退避姿勢との間で、姿勢を変更することができるので、簡単な構成で動力分離姿勢から動力伝達姿勢へと姿勢変更することができるクラッチを実現することができるようになる。
【発明の効果】
【００１４】
以上説明したように、本発明によれば、搬送される用紙が現像装置に到達するそれぞれ異なる時間に、それぞれの動力伝達手段のクラッチが動力分離姿勢から動力伝達姿勢へと姿勢を変更して画像が用紙に転写形成されるので、必要な時だけに現像装置を駆動させる一方、不要な時は現像装置の回転を継続させなくともよい結果、現像装置の劣化を防止することができるようになるという顕著な効果を奏する。
【００１５】
また、駆動源そのものは起動や停止をせずに回転を継続するので、伝達される動力が一様で安定したものになる結果、現像装置の駆動も安定したものになるという顕著な効果を奏する。
【発明を実施するための最良の形態】
【００１６】
以下、添付図面を参照しながら本発明の好ましい実施の一形態について詳述する。図１
は本発明の実施の形態に係る画像形成装置１の構成を示す説明図であり、図２は画像形成装置１の現像装置２を横から見た概念図である。また、図３は画像形成装置１の動力伝達手段４と偏心カム７、とカム駆動モータ８と、クラッチ操作レバー９との構成を示す側面図である。図４と図５とは画像形成装置１の動力伝達手段４と駆動源５との構成を示す側面図であり、図４は、動力伝達手段４のクラッチ６が動力伝達姿勢にある状態を、図５は、動力伝達手段４のクラッチ６が動力分離姿勢にある状態をそれぞれ示している。また、図６は偏心カム７の構成を示す斜視図であり、（ａ）と（ｂ）とはそれぞれ異なる角度から偏心カム７を見た図である。
【００１７】
図１を参照して、図示の本発明の実施の形態に係る画像形成装置１は、複数の現像装置２を備えたタンデム現像式のカラー画像形成装置であり、画像形成装置本体１ａの中に、４基の現像装置２と、ＯＰＣ感光体やａ−Ｓｉ感光体などからなり帯電することにより静電潜像を保持可能な感光体２１と、露光ユニット２２とを備えている。
【００１８】
この画像形成装置１は、また、記録媒体である用紙２３を収容した給紙カセット２４と、用紙２３を搬送する搬送ベルト２５と、現像剤容器２６と、感光体２１を帯電させるための帯電器２２と、感光体２１上のトナー像を転写バイアスにより記録媒体に転写するための転写装置２８と、各色のトナー像が順次転写された用紙２３の転写されたトナー像を定着する定着装置２９とを備えている。
【００１９】
そして、この画像形成装置１は、上記の現像装置２と、感光体２１と、露光ユニット２７とを介して各色のトナー像を用紙２３に順次転写し、このトナー像を定着装置２９で定着して排紙するように構成されている。
【００２０】
ここで、上記現像装置２は、現像剤３を攪拌して感光体２に供給することで感光体２の表面に像を形成するように構成された装置であって、図２に示すように、現像剤３を収容可能に構成されたハウジング３１の中に、現像剤３を攪拌する攪拌パドル３２と、この攪拌パドル３２に現像剤３を攪拌混合する攪拌ミキサー３３と、攪拌パドル３２に隣接して設けられた磁気ローラ３４と、感光体に現像剤３を供給する現像ローラ３５とを備えている。
【００２１】
また、現像装置２は、図３と図４とに示すように、複数のそれぞれ現像装置２を駆動させる動力を伝達する動力伝達手段４と、この動力伝達手段４に動力を供給する駆動源５（図４）とをそれぞれ備えている。
【００２２】
そして、動力伝達手段４は、駆動源５から現像装置２に動力を伝達する動力伝達姿勢（図４）と、駆動源５の動力を現像装置２から分離する動力分離姿勢（図５）との間で姿勢変更可能なクラッチ６を有している。
【００２３】
また、この画像形成装置１は、複数の偏心カム７と、カム駆動モータ８と、複数のクラッチ操作レバー９とを備えている。
【００２４】
上記現像剤３は、トナーと磁性体キャリアーとを含むいわゆる２成分現像剤と呼ばれる現像剤であり、本実施形態では、この磁性体キャリアとしては、１０６Ωｃｍ〜１０９Ωｃｍ、飽和磁化が７０ｅｍｕ／ｇ、平均粒径３５μｍのフェライトキャリアが採用されている。また、現像剤３のトナーとキャリアの混合割合は、トナーとキャリアの合計量に対してトナー２〜４０重量％程度となっている。
【００２５】
上記駆動源５は、動力伝達手段４に動力を供給するものであり、本実施形態ではそれぞれの動力伝達手段４に一つずつ電動モータが採用されている。この駆動源５は、図４に示
すように動力伝達手段４にそれぞれ設けられたモータベース５ａに固定されている。
【００２６】
上記クラッチ６は、それぞれ、駆動源５の駆動軸５ｂの周りに揺動可能なクラッチ操作部材６ａと、このクラッチ操作部材６ａに回転軸が設けられ、駆動源５の駆動軸５ｂに設けられた駆動ギア６ｂにより回転駆動されるアイドルギア６ｃと、現像装置２に動力を伝達する出力ギア６ｄとを備え、搬送される用紙２３が現像装置２に到達する時間に対応してそれぞれ異なる時間に、それぞれの動力伝達手段４のクラッチ６が動力分離姿勢（図５）から動力伝達姿勢（図４）へと姿勢変更される。そして、これにより、それぞれの現像装置２により感光体２に現像された画像が用紙２３に転写形成される。
【００２７】
ここで、それぞれのクラッチ操作部材６ａは、偏心カム７の頂部に押されて変位するクラッチ操作レバー９と当接可能な操作端６ｅを有し、これらの操作端６ｅを介してクラッチ操作部材６ａが複数のクラッチ操作レバー９に押されて揺動することにより、アイドルギア６ｃが、出力ギア６ｄに結合して駆動ギア６ｂから出力ギア６ｄに動力を伝達可能な結合姿勢（図４）と、出力ギア６ｄから退避して駆動ギア６ｂからの動力と出力ギア６ｄとを分離する退避姿勢（図５）との間で姿勢変更することができるようになっている。
【００２８】
上記複数の偏心カム７は、動力伝達手段４のそれぞれのクラッチ６に対応して回転角度の位相が異なるように設けられたものであり、本実施形態では、一つの部材として一体に形成されている。
【００２９】
上記カム駆動モータ８は、一つの部材として一体に形成された複数の偏心カム７をギア８ａ、８ｂ（図３）を介して回転させるものであり、回転角度調節が可能なように、ステッピングモータが採用されている。
【００３０】
上記複数のクラッチ操作レバー９（図３）は、複数の偏心カム７のそれぞれに対応して設けられ、これら偏心カム７の頂部に押されて変位する棒状の部材である。これらクラッチ操作レバー９は、通常は図略の付勢手段により偏心カム７の方向に付勢されており、クラッチ６を動力分離姿勢（図５）の状態にしている。  そして、用紙２３が現像装置２に到達する時間に対応して、それぞれ異なる時間に、偏心カム７の頂部に押されて変位して、それぞれのクラッチ６を動力分離姿勢（図５）から動力伝達姿勢（図４）へと姿勢変更する。
【００３１】
次に図３〜図６と、図７〜図１５とを参照して、本発明の実施の形態に係る画像形成装置１の作用について説明する。
【００３２】
本発明の実施の形態に係る画像形成装置１においては、図３に示すように、クラッチ操作レバー９が、通常は図略の付勢手段により偏心カム７の方向に付勢されており、クラッチ６を動力分離姿勢（図５）の状態にしている。
【００３３】
そして、カム駆動モータ８が、複数の偏心カム７を回転させ、複数の偏心カム７のそれぞれに対応して設けられた複数のクラッチ操作レバー９が、偏心カム７の頂部に押され、図略の付勢手段の付勢力に抗して変位する。
【００３４】
この時、クラッチ操作レバー９は、用紙２３が現像装置２に到達する時間に対応して、それぞれ用紙２３が現像装置２に到達する直前の異なる時間に、偏心カム７の頂部に押されて変位して、それぞれのクラッチ６を動力分離姿勢（図５）から動力伝達姿勢（図４）へと姿勢変更する。
【００３５】
すなわち、クラッチ操作部材６ａの操作端６ｅが、偏心カム７の頂部に押されて変位す
るクラッチ操作レバー９と当接し、クラッチ６のクラッチ操作部材６ａが、それぞれ、駆動源５の駆動軸５ｂの周りに揺動する。
【００３６】
そして、このように操作端６ｅを介してクラッチ操作部材６ａが複数のクラッチ操作レバー９に押されて揺動することにより、アイドルギア６ｃが、出力ギア６ｄに結合して駆動ギア６ｂから出力ギア６ｄに動力を伝達可能な結合姿勢と、出力ギア６ｄから退避して駆動ギア６ｂからの動力と出力ギア６ｄとを分離する退避姿勢との間で姿勢変更する。
【００３７】
このように、搬送される用紙２３が現像装置２に到達する時間に対応してそれぞれ異なる時間に、それぞれの動力伝達手段４のクラッチ６が動力分離姿勢から動力伝達姿勢へと姿勢変更されることにより、それぞれの現像装置２により感光体２に現像された画像が用紙２３に転写形成されるが、それぞれの動力伝達手段４の動作は図７〜図１５に示す通りである。
【００３８】
すなわち、図７は、偏心カムの回転角度が０°の状態で、３つの現像装置２がいずれも動力分離姿勢の状態を示している。
【００３９】
次に、図８は、偏心カムの回転角度が４５°の状態で、左の現像装置２が動力伝達姿勢にあり、その他の現像装置が動力分離姿勢にある状態を示している。
【００４０】
また、図９は、偏心カムの回転角度が９０°の状態で、左と中央の現像装置２が動力伝達姿勢にあり、右の現像装置が動力分離姿勢にある状態を示している。
【００４１】
図１０は、偏心カムの回転角度が１３５°の状態で、３つの現像装置２がいずれも動力伝達姿勢にある状態を示している。
【００４２】
また、図１１は、偏心カムの回転角度が１８０°の状態で、引き続き３つの現像装置２がいずれも動力伝達姿勢にある状態を示している。
【００４３】
また、図１２は、偏心カムの回転角度が２２５°の状態で、引き続き３つの現像装置２がいずれも動力伝達姿勢にある状態を示している。
【００４４】
また、図１３は、偏心カムの回転角度が２７０°の状態で、右と中央の現像装置２が動力伝達姿勢にあり、左の現像装置が動力分離姿勢にある状態を示している。
【００４５】
また、図１４は、偏心カムの回転角度が３１５°の状態で、右の現像装置２が動力伝達姿勢にあり、左と中央の現像装置が動力分離姿勢にある状態を示している。
【００４６】
また、図１５は、偏心カムの回転角度が３６０°の状態で、３つの現像装置２がいずれも動力分離姿勢に戻った状態を示している。
【００４７】
このようにしてそれぞれの現像装置２の画像が用紙２３に転写形成される。
【００４８】
以上説明したように、本発明の実施の形態に係る画像形成装置１によれば、現像装置２のそれぞれの動力伝達手段４のクラッチ６が、駆動源５から現像装置２に動力を伝達する動力伝達姿勢と、駆動源５の動力を現像装置２から分離する動力分離姿勢との間で姿勢変更することができる。そして、搬送される用紙２３が現像装置２に到達する時間に対応してそれぞれ異なる時間に、それぞれの動力伝達手段４のクラッチ６が動力分離姿勢から動力伝達姿勢へと姿勢を変更してそれぞれの現像装置により現像された画像が用紙２３に転写形成されるので、必要な時だけに現像装置２を駆動させる一方、不要な時は現像装置２
の回転を継続させなくともよいので、現像装置２の劣化を防止することができるようになる。
【００４９】
また、駆動源５そのものは起動や停止をせずに回転を継続するので、伝達される動力が一様で安定したものになる結果、現像装置２の駆動も安定したものになる。
【００５０】
また、画像形成装置１によれば、用紙２３が現像装置２に到達するそれぞれ異なる時間に、クラッチ６に対応して回転角度の位相が異なる偏心カム７の頂部に押されてクラッチ操作レバー９が変位することにより、それぞれのクラッチ６を動力分離姿勢から動力伝達姿勢へと姿勢変更するので、簡単な構成でそれぞれのクラッチ６を動力分離姿勢から動力伝達姿勢へと姿勢変更することができる画像形成装置１を実現することができるようになる。
【００５１】
また、クラッチ操作レバー９が操作端６ｅを介してクラッチ操作部材６ａを押して揺動させることにより、駆動ギア６ｂから出力ギア６ｄに動力を伝達することができる結合姿勢と駆動ギア６ｂからの動力と出力ギア６ｄとを分離する退避姿勢との間で、姿勢を変更することができるので、簡単な構成で動力分離姿勢から動力伝達姿勢へと姿勢変更することができるクラッチ６を実現することができるようになる。
【００５２】
上述した実施の形態は本発明の好ましい具体例を例示したものに過ぎず、本発明は上述した実施の形態に限定されない。
【００５３】
例えば、本発明の実施の形態に係る画像形成装置１は、図１のような感光体２１、給紙カセット２４、搬送ベルト２５、現像剤容器２６、帯電器２７、転写装置２８、定着装置２９の構成には限定されない。また、現像剤３も１０６Ωｃｍ〜１０９Ωｃｍ、飽和磁化が７０ｅｍｕ／ｇ、平均粒径３５μｍのフェライトキャリアを採用したものに限定されない。トナーと磁性体キャリアーとを含む現像剤を採用したタンデム現像式の画像形成装置であれば、種々の画像形成装置に適用が可能である。
【００５４】
また、現像装置２も、必ずしも現像ローラ８を備えたものに限定されない。直接磁気ローラ７から感光体２１に現像剤３が供給される方式のものにも適用可能である。
【００５５】
駆動源５は、本実施形態ではそれぞれの動力伝達手段４に一つずつ電動モータが採用されているが、必ずしもそれぞれの動力伝達手段４に一つずつである必要はない。動力伝達手段４に動力を供給するものであれば、共通の電動モータからギアなどによって動力を分配するような方式も可能である。
【００５６】
また、攪拌ミキサー６も必ずしも必要ではなく、攪拌部の構成は種々の設計変更が可能である。
【００５７】
クラッチ６の構成は、図示のようなクラッチ操作部材６ａ、駆動ギア６ｂ、アイドルギア６ｃ、出力ギア６ｄの構成に限定されない。それぞれ動力分離姿勢と動力伝達姿勢との間で姿勢変更可能なものであれば、種々のクラッチ機構が採用可能である。
【００５８】
また、偏心カムの回転角度も必ずしも図７〜図１５に示した角度に限定されない。関係する装置の構成、諸元、寸法などに応じて変更が可能である。
【００５９】
その他、本発明の特許請求の範囲内で種々の設計変更が可能であることはいうまでもない。
【図面の簡単な説明】
【００６０】
【図１】本発明の実施の形態に係る画像形成装置の構成を示す説明図である。
【図２】画像形成装置の現像装置を横から見た概念図である。
【図３】画像形成装置の動力伝達手段と偏心カムとカム駆動モータとクラッチ操作レバーとの構成を示す側面図である。
【図４】画像形成装置の動力伝達手段と駆動源との構成を示す側面図であり、動力伝達手段のクラッチが動力伝達姿勢にある状態を示している。
【図５】画像形成装置の動力伝達手段と駆動源との構成を示す側面図であり、動力伝達手段のクラッチが動力分離姿勢にある状態を示している。
【図６】偏心カムの構成を示す斜視図であり、（ａ）と（ｂ）とはそれぞれ異なる角度から偏心カムを見た図である。
【図７】偏心カムの回転角度が０°の状態を示す説明図である。
【図８】偏心カムの回転角度が４５°の状態を示す説明図である。
【図９】偏心カムの回転角度が９０°の状態を示す説明図である。
【図１０】偏心カムの回転角度が１３５°の状態を示す説明図である。
【図１１】偏心カムの回転角度が１８０°の状態を示す説明図である。
【図１２】偏心カムの回転角度が２２５°の状態を示す説明図である。
【図１３】偏心カムの回転角度が２７０°の状態を示す説明図である。
【図１４】偏心カムの回転角度が３１５°の状態を示す説明図である。
【図１５】偏心カムの回転角度が３６０°の状態を示す説明図である。
【符号の説明】
【００６１】
１    画像形成装置
２    現像装置
４    動力伝達手段
５    駆動源
５ｂ  駆動軸
６ａ  クラッチ操作部材
６ｂ  駆動ギア
６ｃ  アイドルギア
６ｄ  出力ギア
６ｅ  操作端
６    クラッチ
７    偏心カム
８    カム駆動モータ
９    クラッチ操作レバー
２３  用紙
【図１】
2007187786.tif 000003
【図２】
2007187786.tif 000004
【図３】
2007187786.tif 000005
【図４】
2007187786.tif 000006
【図５】
2007187786.tif 000007
【図６】
2007187786.tif 000008
【図７】
2007187786.tif 000009
【図８】
2007187786.tif 000010
【図９】
2007187786.tif 000011
【図１０】
2007187786.tif 000012
【図１１】
2007187786.tif 000013
【図１２】
2007187786.tif 000014
【図１３】
2007187786.tif 000015
【図１４】
2007187786.tif 000016
【図１５】
2007187786.tif 000017